(57)【特許請求の範囲】
【請求項１】
被写体輝度を測定する測光手段からの測光信号に応じて絞りを切り替える絞り切り替え手段とともに用いられ、シャッタボタンの押圧によってシャッタレバーをチャージ位置からレリーズ位置に向かってバネの付勢により移動させ、その移動の間にシャッタ羽根を蹴飛ばして写真フイルムへの露光を行う蹴飛ばし方式で動作し、写真フイルムが予め装填されたレンズ付きフイルムユニットに用いられるシャッタ装置において、
前記シャッタレバーを前記バネの付勢に抗してチャージ位置に保持する保持位置と、シャッタレバーの保持を解除してシャッタレバーを前記バネの付勢により前記レリーズ位置へと移動させる保持解除位置との間で可動の停止レバーと、
前記測光手段を作動させる測光スイッチと、
シャッタボタンの押圧によって駆動され、前記測光スイッチを押圧して当該測光スイッチをオンした後、前記停止レバーに当接して当該停止レバーを前記保持位置から前記保持解除位置に向けて移動させながら駆動し、前記絞り切り替え手段による絞りの切り替えが完了した後に停止レバーを前記保持解除位置へと移動させる停止解除レバーとを備えたことを特徴とするレンズ付きフイルムユニットのシャッタ装置。
【請求項２】
前記停止解除レバーは、フイルムの給送をロックする巻き止めレバーによって拘束されており、シャッタボタンの押圧によって巻き止めレバーが回動して、停止解除レバーの拘束を解除することを特徴とする請求項１記載のレンズ付きフイルムユニットのシャッタ装置。
【請求項３】
前記シャッタレバーと前記停止解除レバーとは、ともに同じ軸を中心として回動自在となっており、停止解除レバーのチャージに連動して、シャッタレバーが前記チャージ位置へと移動することを特徴とする請求項１または２記載のレンズ付きフイルムユニットのシャッタ装置。
【発明の詳細な説明】
【０００１】
【発明の属する技術分野】
本発明は、絞りの切り替えに必要な時間を確保するための遅延機構を備えたレンズ付きフイルムユニットのシャッタ装置に関するものである。
【０００２】
【従来の技術】
簡易型カメラの一種として、撮影レンズやシャッタ機構などの簡単な撮影機構が組み込まれ、写真フイルムが予め装填された、レンズ付きフイルムユニットが本出願人から製造販売されており、ユーザーは良い画質のプリント写真を手軽に撮ることが可能である。このレンズ付きフイルムユニットでは、構造を簡単化して製造コストの削減を図るため、撮影レンズは固定焦点式となっており、絞り開口も固定されている。このため、被写体の明るさによっては、露出アンダーや露出オーバーが発生するおそれがある。
【０００３】
一方、多くのカメラには、被写体を測光して自動的に絞りを切り替える露出制御機構が装備されており、常に最適な露光量を確保することができる。このような露出制御機構は、シャッタボタンの半押し時に測光と絞り切り替えを行い、全押し時にシャッタ羽根が作動するようになっている。ここで、絞りの切り替えが完了するまで一定の時間が必要となるが、この時間は半押し操作によって確保されている。
【０００４】
【発明が解決しようとする課題】
しかしながら、上記のような露出制御機構をレンズ付きフイルムユニットに組み込むと、煩雑な半押し操作を撮影者に強制することとなり、レンズ付きフイルムユニットの大きな特長である操作の簡便性が失われてしまう。また、上記機構を備えたレンズ付きフイルムユニットを鞄の中に入れて持ち運ぶ際、鞄の中にある凸形の物体がレンズ付きフイルムユニットのシャッタボタンと当接して、シャッタボタンが半押し状態となる場合がある。この場合では、レンズ付きフイルムユニットは測光を行っており、電池が無駄に消耗されることとなるため、電池の交換ができないレンズ付きフイルムユニットでは致命的な問題となる。
【０００５】
さらに、レンズ付きフイルムユニットのような簡易なカメラは、安価に提供できることも大きな特長となっている。このため、電子回路のような、複雑で高価な機構を用いることはできない。
【０００６】
本発明はこれらの問題点を考慮してなされたもので、簡素な構成であり、煩雑な操作を伴うことなく絞りの切り替えを確実に行うことができ、さらに、電池の無駄な消耗を防止できるレンズ付きフイルムユニットのシャッタ装置を提供することを目的とする。
【０００７】
【課題を解決するための手段】
上記課題を解決するために、請求項１記載のレンズ付きフイルムユニットのシャッタ装置は、被写体輝度を測定する測光手段からの測光信号に応じて絞りを切り替える絞り切り替え手段とともに用いられ、シャッタボタンの押圧によってシャッタレバーをチャージ位置からレリーズ位置に向かってバネの付勢により移動させ、その移動の間にシャッタ羽根を蹴飛ばして写真フイルムへの露光を行う蹴飛ばし方式で動作し、写真フイルムが予め装填されたレンズ付きフイルムユニットに用いられるシャッタ装置において、シャッタレバーをバネの付勢に抗してチャージ位置に保持する保持位置と、シャッタレバーの保持を解除してシャッタレバーをバネの付勢によりレリーズ位置へと移動させる保持解除位置との間で可動の停止レバーと、測光手段を作動させる測光スイッチと、シャッタボタンの押圧によって駆動され、測光スイッチを押圧して当該測光スイッチをオンした後、停止レバーに当接して当該停止レバーを保持位置から保持解除位置に向けて移動させながら駆動し、絞り切り替え手段による絞りの切り替えが完了した後に停止レバーを保持解除位置へと移動させる停止解除レバーとを備えたことを特徴とするものである。
【０００８】
請求項２記載のレンズ付きフイルムユニットのシャッタ装置は、停止解除レバーは、フイルムの給送をロックする巻き止めレバーによって拘束されており、シャッタボタンの押圧によって巻き止めレバーが回動して、停止解除レバーの拘束を解除することを特徴とするものである。
【０００９】
請求項３記載のレンズ付きフイルムユニットのシャッタ装置は、シャッタレバーと停止解除レバーとは、ともに同じ軸を中心として回動自在となっており、停止解除レバーのチャージに連動して、シャッタレバーがチャージ位置へと移動することを特徴とするものである。
【００１０】
【発明の実施の形態】
以下、簡易型カメラの一種である、レンズ付きフイルムユニットを例にして説明する。図１に示すように、レンズ付きフイルムユニットは、ユニット本体１０と、このユニット本体１０の外周に巻き付けられる外装ラベル１１からなる。ユニット本体１０の前面には、撮影レンズ１２、ファインダ１３、ストロボ発光部１４、ストロボスイッチ１５、受光素子１６が設けられている。ユニット本体１０の上部には、シャッタボタン１７、フイルムカウンタ２０、充電完了確認窓２１が設けられ、背部には巻き上げノブ２２の一部が外部に露呈されている。
【００１１】
図２に示すように、ユニット本体１０は、本体基部２３、露光ユニット２４、ストロボユニット２５、カートリッジ本体２６、写真フイルム２７と、これらを覆う前カバー３０、後カバー３１から構成されている。本体基部２３は、写真フイルム２７の露光範囲を決定する露光枠３２と、カートリッジ本体２６を収納するカートリッジ収納室３３と、このカートリッジ収納室３３から引き出され、ロール状に巻かれた写真フイルム２７を収納する写真フイルム収納室３４とで構成される。また、カートリッジ収納室３４の上部には巻き上げノブ２２が取り付けられている。なお、写真フイルム２７のタイプとしては、ＩＸ２４０タイプのものでも良いし、１３５タイプのものであっても良い。
【００１２】
巻き上げノブ２２は、その下部に設けられた軸（図示せず）が、カートリッジ本体２６に形成されたスプール２６ａと係合している。また、写真フイルム２７は、その先端部がスプールに形成されたスリットに入り込んで固定されている。このため、巻き上げノブ２２を回転とともにスプール２６ａが回転し、このスプール２６ａに固定された写真フイルム２７が給送される。
【００１３】
前カバー３０は、本体基部２３の前面に設けられており、撮影レンズ１２、ファインダ１３などを外部に露呈する開口が形成されている。後カバー３１は本体基部２３の背後に設けられ、前カバー３０とともにユニット本体１０の内部を光密に覆っている。後カバー３１には底蓋３５ａ，３５ｂが一体に形成され、カートリッジ本体２６及び写真フイルム２７の底部を光密に覆っている。また、底蓋３５ａは撮影済みのカートリッジ本体２６を外部に取り出す際に開放される。
【００１４】
ストロボユニット２５は、露光ユニット２４の横に配置されており、ストロボ回路が形成されたプリント基板３６と、このプリント基板３６に取り付けられるストロボ発光部１４、コンデンサ３７、電池３８、シンクロスイッチ３９から構成されている。ストロボ回路は、電池３８の電圧を昇圧して、コンデンサ３７を充電するための回路であり、プリント基板３６に設けられた押しスイッチ４０を押し下げることによって作動する。
【００１５】
ストロボスイッチ１５は、ストロボ回路のオン・オフを切り替えるために上下にスライド自在に設けられており、その背面にはクリック止め用の補助板４１が配置されている。ストロボスイッチ１５を図中上方へスライドさせると、押しスイッチ４０がオンし、ストロボ回路が作動してコンデンサ３７への充電が行われる。コンデンサ３７の充電が完了すると充電完了確認窓２１に設けられた発光ダイオードが点滅する。その後、シンクロスイッチ３９がオンすると、コンデンサ３７からストロボ発光部１４に設けられた放電管へと電流が流れ、被写体に対してストロボ光が照射される。
【００１６】
露光ユニット２４は、本体基部２３の前面に取り付けられている。この露光ユニット２４は、図３に示すように、暗箱４２、シャッタカバー４３、シャッタ羽根４４、絞り板４５、電磁石４６から構成される。暗箱４２の前面には、被写体光を露光枠３２の内部へと導くシャッタ開口４７が形成され、暗箱４２の上部には、シャッタレバー５０をチャージするシャッタ機構などが設けられている。シャッタカバー４３には固定絞り開口５１が形成された鏡胴が設けられ、その鏡胴には撮影レンズ１２が嵌め込まれている。
【００１７】
シャッタ羽根４４は、羽根部４４ａと取付部４４ｂとから構成され、取付部４４ｂに形成された開口を中心として回動自在となるように暗箱４２に取り付けられている。シャッタ羽根４４は、バネ５２の付勢によって羽根部４４ａが光軸を塞ぐ位置に保持されている。また、取付部４４ｂの先端には、蹴飛ばし用の突起４４ｃが形成されており、シャッタレバーがこの突起４４ｃを蹴飛ばすことにより、シャッタ羽根４４がバネ５２の付勢に抗して図中時計方向に回転する。その後、バネ５１の付勢によってシャッタ羽根４４は元の位置に戻るまでの間、シャッタ開口４７が開かれて露光が行われる。シャッタ羽根４４の開閉時間、すなわちシャッタスピードは、設計時に設定された一定値（例えば、１／６０ｓｅｃ）で固定される。また、シャッタ羽根４４が回転する際、取付部４４ｂがシンクロスイッチ３９と当接するようになっており、露光と同時にストロボ光が被写体に照射される。
【００１８】
絞り板４５は、シャッタ開口４７とシャッタ羽根４４の間に配置され、回動自在となるように暗箱４２に取り付けられている。絞り板４５には、固定絞り開口５１に対して小径の小絞り開口５３が形成されている。絞り板４５は、図４（Ａ）に示すように、バネ５４の付勢によって小絞り開口５３が光軸から退避した第１の位置で保持される。なお、符号５５は、絞り板４５が第１の位置で停止するように、暗箱４２に設けられたストッパーである。
【００１９】
電磁石４６は、暗箱４２に固定されており、その先には測光回路５６が設けられている。測光回路５６は、受光素子１６とともにプリント基板３６（図２参照）に形成されており、測光スイッチ５７がオンすることにより、電池３８から電源が供給されて作動する。受光素子１６は、被写体輝度の測定を行っており、測光回路５６は被写体輝度が基準値以上であることを検出したときに、電磁石４６を通電する。絞り板４５の一端には鉄片６０が取り付けられており、電磁石４６が通電すると、電磁石４６と鉄片６０との間に磁気的吸引力が発生する。すると、図４（Ｂ）に示すように、絞り板４５は小絞り開口５３が光軸上に挿入される第２の位置へと移動し、電磁石４６と鉄片６０とが接触して、絞り板４５がこの第２の位置で停止する。
【００２０】
また、露光中に絞り板４５が移動して露光不良が発生するのを防止するために、測光回路５６は、受光素子１６からの測光信号を一定時間（１００ｍｓ〜２００ｍｓ程度）保持するようになっている。つまり、測光回路５６は、被写体輝度が所定値以上であることを判断して絞り板４５を第２の位置へと移動させたとき、露光中に被写体輝度が減少しても絞り板４５を同じ位置に保持し続ける。一方、被写体輝度が所定値以下であると判断したときは、露光中に被写体輝度がアップしても電磁石４６を通電せず、絞り板４５を第１の位置に保持し続ける。
【００２１】
図５にシャッタ機構の構造を示す。シャッタ機構は、シャッタレバー５０、係止解除レバー６１、停止レバー６２、レリーズレバー６３、カム６４から構成されており、これらは全て回動自在となるように暗箱４２の上部に取り付けられている。
【００２２】
カム６４には、レリーズレバー６３をロックするための切り欠き開口６４ａが形成された円板と、シャッタレバー５０と当接する扇形状の凸部６４ｂとが設けられている。カム６４の軸は、暗箱４２の内部に配置されたスプロケット６５に取り付けられている。また、写真フイルム２７に形成されているパーフォレーション２７ａ（図２参照）がスプロケット６５の歯と噛み合っているため、巻き上げノブ２２を巻き上げて写真フイルム２７を給送すると、スプロケット６５とカム６４とが図中反時計方向に回転する。
【００２３】
シャッタレバー５０は、シャッタ羽根４４を蹴飛ばすためのシャッタ突起５０ａ、停止解除レバー６１と係合する溝５０ｂ、トーションバネ（後述６５，７１）を保持する支柱５０ｃ、停止レバー６２と当接するカム面５０ｄから構成されている。シャッタレバー５０は、シャッタチャージがなされたときにチャージ位置へと移動し、シャッタレリーズ操作によってレリーズ位置へと移動する。また、シャッタ突起５０ａの回転軌道内には、シャッタ羽根４４の先端部４４ｃが配置されており、シャッタレバー５０がチャージ位置からレリーズ位置へと移動する間にシャッタ羽根４４の先端部４４ｃが蹴飛ばされ、露光が行われる。
【００２４】
停止解除レバー６１は、フック６１ａ、スイッチ押圧部６１ｂ、上部突起６１ｃ、下部突起６１ｄ、解除部６１ｅから構成され、シャッタレバー５０と同じ軸に保持されている。停止解除レバー６１の上部には、トーションバネ６５が取り付けられている。このトーションバネ６５の一端はフック６１ａに当接しており、他端はシャッタレバー５０の支柱５０ｃに当接している。フック６１ａは、カム６４の凸部６４ｂと当接するように設けられており、カム６４が図中反時計方向に回転すると、フック６１ａが凸部６４ｂによって押されるため、停止解除レバー６１は図中時計方向に回転する。
【００２５】
停止解除レバー６１の下部突起６１ｄは、スイッチ押圧部６１ｂの下部に設けられ、シャッタレバー５０の溝５０ｂに入り込めるようになっている。また、スイッチ押圧部６１ｂの回転軌道内には、測光スイッチ５７の接片が挿入されている。停止解除レバー６１が回転すると、スイッチ押圧部６１ｂが測光スイッチ５７に当接して測光スイッチ５７がオンされ、測光回路５６が作動する。また、停止解除レバー６１の回動範囲を制限するために、暗箱４２にはストッパー６６が設けられている。
【００２６】
停止レバー６２は、シャッタレバー５０及び停止解除レバー６１と当接するように配置されており、その一端には圧縮バネ６７が取り付けられている。停止レバー６２は、停止解除レバー６１の解除部６１ｅと当接する上段部６２ａと、シャッタレバー５０のカム面５０ｄと当接する下段部６２ｂとの二段構造となっている。停止レバー６２は、その下段部６２ｂがシャッタレバー５０のカム面５０ｄの回転軌道上に挿入され、シャッタレバー５０をチャージ位置に保持する挿入位置と、カム面５０ｄの回転軌道上から退避して、シャッタレバー５０のレリーズ位置への移動を許容する退避位置との間で回転自在である。そして、停止レバー６２は、圧縮バネ６７の付勢によって、常に挿入位置方向に付勢を受けている。
【００２７】
レリーズレバー６３は、レリーズ部６３ａ、係止爪６３ｂ、巻止め部６３ｃ、突起６３ｄから構成され、暗箱４２に一体に形成された軸７０によって保持されている。レリーズレバー６３の下部には、トーションバネ７１が配置されている。このトーションバネ７１は、軸７０に形成された突起７０ａの上に支持されており、その一端がレリーズ部６３ａに保持されており、他端はシャッタレバー５０の支柱５０ｃに当接している。
【００２８】
レリーズレバー６３の係止爪６３ｂは、カム６４の切り欠き開口６４ｂの中に入り込んでレリーズレバー６３を保持するために設けられる。巻止め部６３ｃは、レリーズレバー６３が図中時計方向に回転したときに巻き上げノブ２２の周囲に形成された溝と係合して、巻き上げノブ２２の回動をロックする。突起６３ｄは、レリーズレバー６３の下部に取り付けられており、シャッタチャージがなされたときに停止解除レバー６１の上部突起６１ｃと当接して、停止解除レバー６１の回動を阻止する。また、シャッタボタン１７が押し下げられると、シャッタボタン１７と一体に設けられた突起（図示せず）によってレリーズ部６３ａが押され、レリーズレバー６３はトーションバネ７１の付勢に抗して図中反時計方向に回転する。
【００２９】
図６にシャッタ機構の概略図を示す。同図は、シャッタチャージが行われる前の状態を示したものである。停止解除レバー６１はトーションバネ６５の付勢を受けており、解除部６１ｅがストッパー６６に当接した状態で停止している。シャッタレバー５０は、停止解除レバー６１の下部突起６１ｄが溝５０ｂの内部に入り込んだ状態で保持されており、レリーズレバー６３は、突起６３ｄが停止解除レバー６１の上部突起６１ｃと当接した状態で停止している。また、停止レバー６２は、上段部６２ａが停止解除レバー６１の解除部６１ｅと当接した状態で退避位置に保持されている。
【００３０】
巻き上げノブ２２を回動すると、スプロケット６５とともにカム６４が図中反時計方向に回転する。そして、カム６４の凸部６４ｂが停止解除レバー６１のフック６１ａと当接し、図７に示すように、停止解除レバー６１はトーションバネ６５の付勢に抗して図中時計方向に回転する。さらに、停止解除レバー６１の下部突起６１ｄがシャッタレバー５０の溝５０ｂを押すため、シャッタレバー５０はトーションバネ７１の付勢に抗して図中時計方向に回転する。また、レリーズレバー６３の突起６３ｄが停止解除レバー６１の上部突起６１ｃと当接しているため、レリーズレバー６３は移動することができない。
【００３１】
その後、シャッタレバー５０がチャージ位置に達すると、停止解除レバー６１の上部突起６１ｃがレリーズレバー６３の突起６３ｄの回転軌道外に移動するため、レリーズレバー６３はトーションバネ７１の付勢によって図中時計方向に回転する。そして、図８に示すように、レリーズレバー６３の係止爪６３ｂがカム６４の切り欠き開口６４ａの内部に入り込むと同時に巻止め部６３ｃが巻き上げノブ２２の周囲に形成された溝と嵌合して、レリーズレバー６３がロックされる。
【００３２】
このとき、係止解除レバー６１のフック６１ａがカム６４の凸部６４ｂから離れており、シャッタレバー５０及びレリーズレバー６３が図中時計方向に回転しようとする。しかし、停止レバー６２が挿入位置に入り込んでおり、停止レバー６２の下段部６２ｂがシャッタレバー５０のカム面５０ｄと当接するため、シャッタレバー５０の回動がロックされる。また、レリーズレバー６３の回転により、突起６３ｄが停止解除レバー６１の上部突起６１ｃの回転軌道内に挿入されており、停止解除レバー６１の回動もロックされる。このため、シャッタレバー５０がチャージ位置に保持された状態でシャッタチャージが完了する。
【００３３】
シャッタチャージがなされた状態でシャッタボタン１７を押し下げると、レリーズレバー６３のレリーズ部６３ａがシャッタボタン１７によって図中反時計方向に押されるため、図９に示すように、レリーズレバー６３はトーションバネ７１の付勢に抗して図中反時計方向に回転する。そして、レリーズレバー６３の突起６３ｄと停止解除レバー６１の下部突起６１ｄとの係合が解除されるため、停止解除レバー６１はトーションバネ６５の付勢によって、図中反時計方向に回動を開始する。停止解除レバー６１が回動すると、スイッチ押圧部６１ｂが測光スイッチ５７の接片に接触し、測光スイッチ５７がオンして測光が開始される。また、停止解除レバー６１は、解除部６１ｅが停止レバー６２の上段部６２ａを押しながら回動するため、停止レバー６２は圧縮バネ６７の付勢に抗して挿入位置から退避位置へと移動を開始する。一方、シャッタレバー５０は、カム面５０ｄが停止レバー６２の下部突起６２ｂと当接しているため、チャージ位置に保持されている。
【００３４】
その後、停止解除レバー６１が一定量回転して、停止レバー６２が退避位置へと移動すると、下部突起６２ｂとシャッタレバー５０のカム面５０ｄとの係合が解除される。ここで、トーションバネ７１は、トーションバネ６５よりも付勢が強いものが用いられているため、シャッタレバー５０はトーションバネ７１の付勢によって、チャージ位置からレリーズ位置へと移動を開始する。そして、図１０に示すように、シャッタレバー５０の移動の際に、シャッタ羽根４４の突起４４ｃがシャッタ部５０ａによって蹴飛ばされ、露光が行われる。
【００３５】
本実施形態のシャッタ装置では、測光スイッチ５７がオンした後、露光が行われるまでに、停止解除レバー６１が一定量回転するためのタイムラグが発生している。トーションバネ６５の強度や各部材の形状を最適化して、このタイムラグを絞り板４５の移動に必要な時間である、１０ｍｓ程度となるように調節することで、絞りの切り替えを確実に行った後に露光を行うことができる。
【００３６】
以下、上記構成による作用について説明する。撮影者は、巻き上げノブ２２を回転して、未露光の写真フイルム２７を露光枠３２の内部にセットする。巻き上げノブ２２の回転とともに、シャッタレバー５０がチャージされる。写真フイルム２７がちょうど一コマ分巻き上げられると、レリーズレバー６３の巻止め部６３ｃが巻き上げノブ２２の溝に嵌合するため、写真フイルム２７の給送が終了する。このとき、シャッタボタン１７を押し下げない限り測光スイッチ５７がオンされないため、電池３８の無駄な消耗が抑えられる。
【００３７】
撮影者は被写体のフレーミングを行った後、シャッタボタン１７を押し下げて撮影を行う。すると、停止解除レバー６１が移動を開始すると同時に測光スイッチ５７がオンして、測光が行われる。測光回路５６では、受光素子１６からの測光信号から絞り板４５を移動させるか否かの決定がなされ、絞りの切り替えが行われる。その後、シャッタレバー５０の係合が解除され、シャッタレバー５０が移動を開始する。そして、シャッタ羽根４４が蹴飛ばされ、写真フイルム２７への露光が行われる。
【００３８】
室内撮影のように、被写体の明るさが充分でない場合は、バネ５４の付勢によって絞り板４５は第１の位置に保持されているため、固定絞り開口５１を通した露光となる。この場合では、露光量がアップするため、露出アンダーが生じることなく、適正露出でのプリント写真を得ることができる。
【００３９】
一方、晴れた日での屋外撮影のように、被写体が非常に明るい場合では、絞り板４５は第２の位置に移動しているため、小絞り開口５３を通した露光となる。小絞り開口５３により露光量が適正値へと低減されるため、露出オーバーが発生することなく撮影を行うことができる。
【００４０】
また、夜間等の非常に暗い状況下では、撮影者は、ストロボスイッチ１５をオンしてコンデンサ３７への充電を行い、充電完了確認窓２１の点滅により充電の完了を検知した後、シャッタボタン１７を押し下げて撮影を行う。すると、シャッタ羽根４４の回転とともに、シンクロスイッチ３９が閉じられ、ストロボ発光部１４からのストロボ光が被写体へと照射される。このストロボ撮影の場合では、測光時における被写体輝度は所定値以下となっており、電磁石４６には電流が流れないため、固定絞り開口５１を通した露光となる。
【００４１】
上記実施形態では、被写体輝度が高い場合に小絞り開口５３が光軸上に挿入される例について説明したが、これとは逆に、被写体輝度が低い場合に小絞り開口５３が光軸上から退避する構造にしてもよい。
【００４２】
上記実施形態では、小絞り開口５３のみが形成された絞り板４５を用いた場合について説明したが、大小二つの絞り開口が形成された絞り板を用いてもよい。この場合では、被写体輝度の大小に応じて小絞り開口と大絞り開口のいずれか一方を光軸上に挿入することによって、絞りの切り替えを行うことができる。
【００４３】
【発明の効果】
以上説明したように、本発明のレンズ付きフイルムユニットのシャッタ装置では、シャッタボタンの押圧によって停止解除レバーが駆動し、測光スイッチを押圧して測光スイッチをオンした後、シャッタレバーを保持する停止レバーに当接して、停止レバーを保持位置から保持解除位置に向けて移動させながら駆動し、絞り切り替え手段による絞りの切り替えが完了した後に停止レバーを、シャッタレバーの保持を解除する保持解除位置へと移動させるようにしたから、煩雑な操作を伴うことなく、絞りの切り替えを確実に行うことができる。さらに、シャッタ操作がなされた場合にのみ測光回路が作動するため、電池の無駄な消耗を防止できる。
【図面の簡単な説明】
【図１】レンズ付きフイルムユニットの外観を示す斜視図である。
【図２】レンズ付きフイルムユニットの内部構造を示す斜視図である。
【図３】レンズ付きフイルムユニットの露出制御機構を示す斜視図である。
【図４】露出制御機構の要部を示す概略図であり、（Ａ）は被写体が暗い場合、（Ｂ）は被写体が明るい場合におけるものである。
【図５】シャッタ機構の内部構造を示す斜視図である。
【図６】シャッタチャージ前におけるシャッタ機構の要部を示す概略図である。
【図７】シャッタチャージ中のシャッタ機構の要部を示す概略図である。
【図８】シャッタチャージが完了したときのシャッタ機構の要部を示す概略図である。
【図９】シャッタレリーズ操作がなされた直後のシャッタ機構の要部を示す概略図である。
【図１０】露光時におけるシャッタ機構の要部を示す概略図である。
【符号の説明】
１０  ユニット本体
５０  シャッタレバー
５７  測光スイッチ
６１  停止解除レバー
６２  停止レバー
６３  ディレイレバー
６５，７１  トーションバネ
【図１】
0003990082.tif 000002
【図２】
0003990082.tif 000003
【図３】
0003990082.tif 000004
【図４】
0003990082.tif 000005
【図５】
0003990082.tif 000006
【図６】
0003990082.tif 000007
【図７】
0003990082.tif 000008
【図８】
0003990082.tif 000009
【図９】
0003990082.tif 000010
【図１０】
0003990082.tif 000011